(57)【要約】【課題】輸送時やカウンタートップに組み込む時にトッププレートを破損する恐れが無く、更に枠体とトッププレートの接着箇所に剥離が発生しない安全性の高い加熱調理器を提供すること。【解決手段】トッププレート及びトッププレート周囲を覆う枠体からなり、トッププレート容器載置面と枠体裏面で接着したカウンタートップ開口より大きい天板部と、本体上端に設けられカウンタートップ開口より外側へ延設した縁部と、組み込みが完了すると上端部がトッププレート裏面に当接し、下端部がカウンタートップ上面に当接し、トッププレート裏面とカウンタートップ上面間で挟持され、トッププレートを支持するトッププレート支持体と、を備え、トッププレート支持体は縁部に設けた取付穴に挿通され、カウンタートップ開口に組み込む前には、トッププレート裏面に上端部が当接しない位置で可動自在に保持されているようにした。【選択図】図７
2010216704.tif 000002
【特許請求の範囲】
【請求項１】
キッチンキャビネットのカウンタートップに設けた開口に、落とし込むようにして組み込む本体と、
前記本体天面に配設され、被調理物を収容した容器を載置可能なトッププレート及び前記トッププレートの周囲を覆うロ字状の枠体からなり、前記トッププレートの容器載置面と前記枠体の内周裏面とで接着してなる、前記カウンタートップの前記開口より大きい天板部と、
前記本体上端に設けられ、前記カウンタートップの前記開口よりも外側へ延設した縁部と、
組み込みが完了すると上端部が前記トッププレート裏面に当接し、下端部が前記カウンタートップ上面に当接し、前記トッププレート裏面と前記カウンタートップ上面間で挟持され、前記トッププレートを支持するトッププレート支持体と、を備え、
前記トッププレート支持体は、前記縁部に設けられた取付穴に挿通されて、前記カウンタートップの前記開口に組み込む前には、前記トッププレート裏面に前記上端部が当接しない位置で可動自在に保持されていることを特徴とする加熱調理器。
【請求項２】
前記トッププレート支持体は、前記カウンタートップの前記開口に組み込む過程で、前記カウンタートップ上面に前記下端部が当接してから、前記トッププレート裏面へ向け移動することを特徴とする請求項１記載の加熱調理器。
【請求項３】
前記トッププレート支持体は、前記トッププレート裏面に当接する前記上端部と、前記取付穴を摺動する摺動部と、前記カウンタートップ上面に当接する前記下端部からなり、少なくとも前記上端部の面積は、前記摺動部の断面積より大きいことを特徴とする請求項１または請求項２記載の加熱調理器。
【請求項４】
前記取付穴の外周一辺を切除し、切欠き形状としたことを特徴とする請求項１〜請求項３のいずれかに記載の加熱調理器。
【請求項５】
前記取付穴外周の一部あるいは全周に、前記トッププレート支持体の前記摺動部をガイドするガイド部を、前記トッププレート裏面側に向けて延設したことを特徴とする請求項１〜請求項３のいずれかに記載の加熱調理器。
【請求項６】
前記トッププレート支持体は、前記取付穴からの抜けを防止する抜け防止構造を備えたことを特徴とする請求項１または請求項２または請求項３または請求項５のいずれかに記載の加熱調理器。
【請求項７】
前記トッププレート支持体は、前記トッププレート支持体を保持する保持片の取付穴に挿通され、前記保持片は、前記縁部の前記カウンタートップに対向する面に取付可能にしたことを特徴とする請求項１記載の加熱調理器。
【請求項８】
前記トッププレート支持体は、前記保持片の取付穴からの抜けを防止する抜け防止構造を備えたことを特徴とする請求項７記載の加熱調理器。
【請求項９】
前記トッププレート支持体は、前記取付穴近傍で回動可能に軸止され、前記カウンタートップ上面に当接する前記下端部と、前記トッププレート裏面に当接する前記上端部とからなり、前記カウンタートップの前記開口に組み込む前には、前記トッププレート裏面に前記上端部が当接しない位置で回動可能に保持され、前記カウンタートップの前記開口に組み込む過程で、前記カウンタートップ上面に前記下端部が当接してから、前記トッププレート裏面に向けて回動するようにしたことを特徴とする請求項１記載の加熱調理器。
【請求項１０】
前記トッププレート支持体の前記上端部は、前記トッププレートの前記容器載置面と前記枠体内周裏面との接着箇所近傍の、前記トッププレート裏面に当接することを特徴とする請求項１〜請求項９のいずれかに記載の加熱調理器。
【発明の詳細な説明】
【技術分野】
【０００１】
本発明は、加熱調理器、詳しくはトッププレートを備えキッチンキャビネットのカウンタートップに組み込んで使用する加熱調理器に関するものである。
【背景技術】
【０００２】
従来、トッププレートを備えキッチンキャビネットのカウンタートップに組み込んで使用する加熱調理器において、トッププレートは枠体に接着され吊下げられた状態で保持されている構造のものが主流である。
【０００３】
この接着は、トッププレートと枠体を固着させる目的の他に、トッププレートと枠体の間からの水分等の浸入を防ぐという機能も併せ持っているが、トッププレート上に被調理物が収容された容器等の重量物が置かれることで、トッププレートと枠体の接着箇所に剥離方向の応力が加わり、経年の使用により接着箇所が剥離して水分等が浸入し、基板や電気部品が短絡し加熱調理器の安全性や使用者の安全を損なう恐れがあった。
【０００４】
そのため、トッププレートと枠体との接着剥離対策として、本体上端縁部とトッププレートの間に弾性部材を設け、トッププレートを支持するようにして、剥離方向の応力が加わらないように構成したものが開示されている（例えば、特許文献１参照）。
【０００５】
また、金属性の支持体によりトッププレートを支持するようにして、剥離方向の応力が加わらないように構成したものも開示されている（例えば、特許文献２参照）。
【先行技術文献】
【特許文献】
【０００６】
【特許文献１】特開２００７−００３０１６号公報（第４頁、図２）
【０００７】
【特許文献２】特開２００５−２６５２１１号公報（第３頁、図３）
【発明の概要】
【発明が解決しようとする課題】
【０００８】
しかしながら、特許文献１に開示された加熱調理器では、トッププレートと本体上端縁部の間に弾性体を配設しトッププレートを支持し、剥離対策としているが、弾性体が軟らかいとトッププレートに被調理物を収容した容器などの荷重が加えられた時に、弾性体が圧縮されてトッププレートが沈み込みトッププレートと枠体の接着箇所に剥離方向の応力が加わり、剥離対策としての効果が損なわれてしまう。
【０００９】
そのため、弾性体の圧縮度を上げて硬度を増したり、弾性体自体の硬度を上げたりしなければならないが、弾性体の硬度を上げることでトッププレートの剥離対策には効果を得られるが、逆にトッププレートの支持に柔軟性が無くなり、輸送時やカウンタートップに組み込む時に、トッププレートに例えば輸送時の振動で本体が突き上げられた時の衝撃力や、組み込む時に本体をキッチンキャビネットや壁にぶつけたりした時の衝撃力のような外部からの力（以下外部応力と記す）が直接加わる場合があり破損する恐れがある、という問題があった。
【００１０】
また、特許文献２に開示された加熱調理器では、トッププレートを金属性の支持体で受け、剥離対策としているが、特許文献１に開示された加熱調理器の、弾性体の硬度を上げた時と同様、トッププレートの支持に柔軟性が無く、輸送時やカウンタートップに組み込む時に、トッププレートに外部応力が直接加わる場合があり破損する恐れがある、という問題があった。
【００１１】
本発明は、かかる課題を解決するためのもので、輸送時やカウンタートップに組み込む時にトッププレートを破損する恐れが無く、更に枠体とトッププレートの接着箇所に剥離が発生しない加熱調理器を提供することを目的とする。
【課題を解決するための手段】
【００１２】
本発明の加熱調理器は、キッチンキャビネットのカウンタートップに設けた開口に、落とし込むようにして組み込む本体と、本体天面に配設され、被調理物を収容した容器を載置可能なトッププレート及びトッププレートの周囲を覆うロ字状の枠体からなり、トッププレートの容器載置面と枠体の内周裏面とで接着してなる、カウンタートップの開口より大きい天板部と、本体上端に設けられ、カウンタートップの開口よりも外側へ延設した縁部と、組み込みが完了すると上端部がトッププレート裏面に当接し、下端部がカウンタートップ上面に当接し、トッププレート裏面とカウンタートップ上面間で挟持され、トッププレートを支持するトッププレート支持体と、を備え、トッププレート支持体は、縁部に設けられた取付穴に挿通されて、カウンタートップの開口に組み込む前には、トッププレート裏面に上端部が当接しない位置で可動自在に保持されているようにしたものである。
【発明の効果】
【００１３】
本発明の加熱調理器においては、輸送時やカウンタートップへ組み込む前にはトッププレートを支持していないので、トッププレートへの外部応力がかからないため、輸送時やカウンタートップに組み込む時にトッププレートを破損することがない安全な加熱調理器を提供できる、という効果がある。
【図面の簡単な説明】
【００１４】
【図１】本発明の実施の形態１における加熱調理器の全体構成を示す斜視図。
【図２】本発明の実施の形態１における加熱調理器の天板部を取り外した状態の全体構    成を示す斜視図。
【図３】本発明の実施の形態１における加熱調理器のキッチンキャビネットのカウンタートップへの組み込み概念図。
【図４】本発明の実施の形態１における加熱調理器をキッチンキャビネットのカウンタートップに組み込んだ状態の斜視図。
【図５】本発明の実施の形態１における加熱調理器のトッププレート支持体と取付穴を示す部分斜視図。
【図６】本発明の実施の形態１における加熱調理器の組み込み前のトッププレート支持体の状態を示す断面図。
【図７】本発明の実施の形態１における加熱調理器の組み込み途中のトッププレート支持体の状態を示す断面図。
【図８】本発明の実施の形態１における加熱調理器の組み込み完了時点のトッププレート支持体の状態を示す断面図。
【図９】本発明の実施の形態２における加熱調理器のトッププレート支持体と切欠きを示す部分斜視図。
【図１０】本発明の実施の形態２における加熱調理器の組み込み前のトッププレート支持体の状態を示す断面図。
【図１１】本発明の実施の形態３における加熱調理器の組み込み前のトッププレート支持体とガイド部を設けた取付穴を示す断面図。
【図１２】本発明の実施の形態４における加熱調理器の組み込み前の抜け防止部を備えたトッププレート支持体と取付穴を示す断面図。
【図１３】本発明の実施の形態５における加熱調理器のトッププレート支持体と保持片を示す部分斜視図。
【図１４】本発明の実施の形態５における加熱調理器の組み込み前のトッププレート支持体と保持片を示す断面図。
【図１５】本発明の実施の形態６における加熱調理器の組み込み前の抜け防止構造を備えたトッププレート支持体と保持片を示す断面図。
【図１６】本発明の実施の形態７における加熱調理器のトッププレート支持体の状態を示す部分斜視図。
【図１７】本発明の実施の形態７における加熱調理器の組み込み前のトッププレート支持体の状態を示す断面図。
【図１８】本発明の実施の形態７における加熱調理器の組み込み途中のトッププレート支持体の状態を示す断面図。
【図１９】本発明の実施の形態７における加熱調理器の組み込み完了時点のトッププレート支持体の状態を示す断面図。
【発明を実施するための形態】
【００１５】
実施の形態１．
図１は本発明の実施の形態１における加熱調理器の全体構成を示す斜視図、図２は本発明の実施の形態１における加熱調理器の天板部を取り外した状態の全体構成を示す斜視図、図３は本発明の実施の形態１における加熱調理器のキッチンキャビネットのカウンタートップへの組み込み概念図、図４は本発明の実施の形態１における加熱調理器をキッチンキャビネットのカウンタートップに組み込んだ状態の斜視図、図５は本発明の実施の形態１における加熱調理器のトッププレート支持体と取付穴を示す部分斜視図、図６は本発明の実施の形態１における加熱調理器の組み込み前のトッププレート支持体の状態を示す断面図、図７は本発明の実施の形態１における加熱調理器の組み込み途中のトッププレート支持体の状態を示す断面図、図８は本発明の実施の形態１における加熱調理器の組み込み完了時点のトッププレート支持体の状態を示す断面図である。
【００１６】
なお、それぞれの図において、同じ部分または相当する部分には同じ符号を付し、一部の説明を省略する。また、複数の部材であって、符号に「ａ、ｂ、あるいはｃ等」を付記するものについて、共通する内容を説明する際には、符号に付した「ａ、ｂ、あるいはｃ等」を削除して、その一方の部材について説明する。
【００１７】
図１に示すように、本発明の実施の形態１における加熱調理器は、加熱調理器１０１の本体１の天面に、被調理物を収容した容器２を載置可能な非磁性体、例えば結晶化ガラスやセラミックからなるトッププレート３と、例えばステンレス等の金属からなるトッププレート３の周囲を覆うロ字状の枠体４で構成された天板部５を備えている。それから、天板部５に各種の操作入力を行う天面操作手段６を備え、電源の入り切りや各種の操作入力を行う前面操作手段７と、焼き物調理を行うためのグリル庫８を備えている。なお、操作手段の位置や数は、本発明においては関係がないので、操作手段を１箇所にまとめる等、構成は適宜変更が可能である。
【００１８】
また、図２に示すように、天板部５の下方には複数の加熱手段、加熱手段ａ９、加熱手段ｂ１０、加熱手段ｃ１１が配設されている。加熱手段の方式としては、誘導加熱コイルからなる電磁誘導加熱方式や、ニクロム線ヒータ、ハロゲンヒータ、ラジエントヒータ等の輻射によって加熱される輻射型電気加熱等の方式がある。なお、加熱手段の方式や、加熱手段の数および加熱手段の組合せは、本発明においては関係がないので、適宜選択が可能である。
【００１９】
それから、ＣＰＵやその他電子部品を搭載した制御基板等からなり天面操作手段６と前面操作手段７からの操作入力により加熱調理器１０１を制御する制御手段１２が配設され、種々の情報を表示の形で報知する報知手段ａ１３、報知手段ｂ１４、報知手段ｃ１５を備え、本体１の上端部に縁部１６ａ、１６ｂ（以下まとめて縁部１６と記す）が配設されている。なお、報知手段の数や配置は、本発明においては関係がないので、報知手段を１箇所にまとめる等、構成は適宜変更が可能である。
【００２０】
次に、図３に基き加熱調理器１０１の組み込み方法の概念ついて説明する。図３に示すようにキッチンキャビネット２０１の上部に、カウンタートップ２０２が配設され、カウンタートップ２０２には開口２０３が設けられている。加熱調理器１０１は、本体１を、まず開口２０３に通し、支点Ａの点を軸に回転方向Ｂの方向に回転させながら落とし込んでいく。
【００２１】
この時、天板部５は、開口２０３よりも大きいので、カウンタートップ２０２に天板部５が載るようになっている。組み込みが完了すると、図４に示すように、カウンタートップ２０２に加熱調理器１０１が収まり、使用可能な状態となる。
【００２２】
次に図５に基いて、縁部１６の周辺部を詳しく説明すると、図５に示すように、縁部１６に取付穴１８が設けられている。この取付穴１８に、トップトッププレート支持体１７が挿通されるようになっている。トップトッププレート支持体１７は、摺動部１９、下端部２０、上端部２１からなり、トップトッププレート支持体１７の摺動部１９を、取付穴１８に摺動自在に保持する構成となっている。
【００２３】
ここで、トップトッププレート支持体１７の上端部２１は、摺動部１９の断面積及び、取付穴１８よりも大きくしてあるので、取付穴１８からトップトッププレート支持体１７が落下することはない。
【００２４】
以上のように構成された本発明の実施の形態１における加熱調理器について、図６から図８により動作を説明する。
【００２５】
図６に示すように、トッププレート３は、トッププレート３の容器載置面と枠体４の内周裏面で、例えばシリコンＲＴＶのような接着剤２２によって、枠体４に吊下げられた状態で接着保持されている。この時はまだ組み込み前なので、トッププレート支持体１７は、縁部１６に設けられた取付穴１８に挿通され、懸吊状態で保持されていて、トッププレート３の裏面とは当接していない。
【００２６】
図３で示したように組み込み作業を開始すると、図７に示すように、カウンタートップ２０２の上面と、トッププレート支持体１７の下端部２０が当接し押上げられ、取付穴１８を摺動部１９が摺動し、トッププレート３の裏面にトッププレート支持体１７の上端部２１が接近していく。
【００２７】
組み込み作業が完了すると、図８に示すように、カウンタートップ２０２の上面と縁部１６のカウンタートップ２０２の上面に対向する面が当接し、加熱調理器１０１が保持される。また、カウンタートップ２０２の上面に押上げられたトッププレート支持体１７の上端部２１が、トッププレート３の裏面で枠体４と接着保持されている近傍に当接する。これにより、トッププレート支持体１７によるトッププレート３の支持状態が完成する。この時、縁部１６のカウンタートップ２０２の上面に対向する面とトッププレート支持体１７の下端部２０はほぼ同一高さとなるよう設定されている。
【００２８】
以上の動作により、加熱調理器１０１の輸送時やカウンタートップ２０２へ組み込み前には、トッププレート支持体１７がトッププレート３を支持していないので、トッププレート３への外部応力がかからないため、輸送時やカウンタートップ２０２に組み込む時にトッププレート３を破損することがない安全な加熱調理器１０１を提供することができる。
【００２９】
また、加熱調理器１０１をカウンタートップ２０２に組み込むだけで、トッププレート支持体１７が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００３０】
さらに、本体１に従来からある縁部１６に小規模な改造で、トッププレート支持体１７を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００３１】
実施の形態２．
図９は本発明の実施の形態２における加熱調理器のトッププレート支持体と切欠きを示す部分斜視図、図１０は本発明の実施の形態２における加熱調理器の組み込み前のトッププレート支持体の状態を示す断面図である。なお、実施の形態２においては、図１から図４で示した実施の形態１の構成を使用するものであり、よってここでの説明は省略する。
【００３２】
図９に基いて、縁部１６の周辺部を詳しく説明すると、図９に示すように、縁部１６に切欠き３７が設けられている。この切欠き３７に、下端部３８、摺動部１９、上端部３９からなるトップトッププレート支持体３６が摺動可能に嵌合する構成となっている。
【００３３】
以上のように構成された本発明の実施の形態２における加熱調理器について、図１０により動作を説明する。
【００３４】
図１０に示すように、トッププレート３は、トッププレート３の容器載置面と枠体４の内周裏面で、例えばシリコンＲＴＶのような接着剤２２によって、枠体４に吊下げられた状態で接着保持されている。この時はまだ組み込み前なので、トッププレート支持体３６は、縁部１６に設けられた切欠き３７に嵌合され、懸吊状態で保持されていて、トッププレート３の裏面とは当接していない。
【００３５】
以上の構成により、加熱調理器１０１の輸送時やカウンタートップ２０２へ組み込み前には、トッププレート支持体３６がトッププレート３を支持していないので、トッププレート３への外部応力がかからないため、輸送時やカウンタートップ２０２に組み込む時にトッププレート３を破損することがない安全な加熱調理器１０１を提供することができる。
【００３６】
また、加熱調理器１０１をカウンタートップ２０２に組み込むだけで、トッププレート支持体３６が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００３７】
さらに、本体１に従来からある縁部１６に小規模な改造で、トッププレート支持体３６を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００３８】
実施の形態３．
図１１は本発明の実施の形態３における加熱調理器の組み込み前のトッププレート支持体とガイド部を設けた取付穴を示す断面図である。なお、実施の形態３においては、図１から図４で示した実施の形態１の構成を使用するものであり、よってここでの説明は省略する。
【００３９】
図１１に示すように、取付穴１８の外周にガイド部２３が設けられている。ガイド部２３はトッププレート支持体１７の摺動を安定させるためのもので、トッププレート３の裏面側に向けて延設してあり、トッププレート支持体１７の摺動部１９と取付穴１８との摺動面積が大きくなっている。
また、この状態は組み込み前であるため、トッププレート支持体１７は、懸吊状態で保持されている。
【００４０】
実施の形態１では取付穴１８を単純な抜き穴形状としたが、上記のように取付穴１８の外周にガイド部２３を設けて、トッププレート支持体１７の摺動部１９と取付穴１８との摺動面積が大きくなっているので、トッププレート支持体１７が摺動する際のふらつき等を抑えることができ、トッププレート支持体１７の摺動動作をより確実にすることができ、トッププレート３の支持を安定させることができる。
【００４１】
また、実施の形態１同様、加熱調理器１０１の輸送時やカウンタートップ２０２へ組み込み前には、トッププレート支持体１７がトッププレート３を支持していないので、トッププレート３への外部応力がかからないため、輸送時やカウンタートップ２０２に組み込む時にトッププレート３を破損することがない安全な加熱調理器１０１を提供することができる。
【００４２】
さらに、加熱調理器１０１をカウンタートップ２０２に組み込むだけで、トッププレート支持体１７が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００４３】
それから、本体１に従来からある縁部１６に小規模な改造で、トッププレート支持体１７を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００４４】
実施の形態４．
図１２は本発明の実施の形態４における加熱調理器の組み込み前の抜け防止部を備えたトッププレート支持体と取付穴を示す断面図である。なお、実施の形態４においては、図１から図４で示した実施の形態１の構成を使用するものであり、よってここでの説明は省略する。
【００４５】
図１２に示すように、トッププレート支持体１７の下端部２０近傍に、抜け防止部２４が設けられている。抜け防止部２４は、取付穴１８からのトッププレート支持体１７の抜けを防止するためのもので、取付穴１８の外周よりも若干大きくなるよう、トッププレート支持体１７の下端部２０近傍から、摺動部１９の外周から張り出した形状となっている。ここで、この状態は組み込み前であるため、トッププレート支持体１７は、懸吊状態で保持されている。
【００４６】
抜け防止部２４は取付穴１８の外周よりも若干大きいため、そのままでは挿通できないので、力をかけて圧入する。そうすることで、圧入した後は、取付穴１８の外周よりも抜け防止部２４が大きいことから、簡単に抜けなくなる。
【００４７】
次に、縁部１６の取付穴１８の外周に抜け防止部収容部２５が設けられている。抜け防止部収容部２５は抜け防止部２４を収容するためのもので、抜け防止部２４が単純に構成されただけの場合、抜け防止部２４が取付穴１８に収容されず、縁部１６のカウンタートップ２０２の上面に対向する面から突出してしまい、カウンタートップ２０２への組み込みが不安定となる。そのため、抜け防止部収容部２５が抜け防止部２４を収容するようにしてあり、抜け防止部２４が縁部１６のカウンタートップ２０２の上面に対向する面から突出しないようになっている。
【００４８】
実施の形態１ではトッププレート支持体１７を取付穴１８に抵抗なく挿通する構造としたが、上記のようにトッププレート支持体１７の下端部２０近傍に、取付穴１８からの抜け防止部２４を設けて、トッププレート支持体１７を取付穴１８へ圧入するようにしたので、通常カウンタートップ２０２に当接することを想定しているトッププレート支持体１７の下端部２０に想定外の外部応力がかかる事態となっても、トッププレート支持体１７が取付穴１８から簡単に抜けることがなく、取付をより確実にすることができる。
【００４９】
また、実施の形態１同様、加熱調理器１０１の輸送時やカウンタートップ２０２へ組み込み前には、トッププレート支持体１７がトッププレート３を支持していないので、トッププレート３への外部応力がかからないため、輸送時やカウンタートップ２０２に組み込む時にトッププレート３を破損することがない安全な加熱調理器１０１を提供することができる。
【００５０】
さらに、加熱調理器１０１をカウンタートップ２０２に組み込むだけで、トッププレート支持体１７が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００５１】
それから、本体１に従来からある縁部１６に小規模な改造で、トッププレート支持体１７を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００５２】
実施の形態５．
図１３は本発明の実施の形態４における加熱調理器のトッププレート支持体と保持片を示す部分斜視図、図１４は本発明の実施の形態４における加熱調理器の組み込み前のトッププレート支持体と保持片を示す断面図である。なお、実施の形態５においては、図１から図４で示した実施の形態１の構成を使用するものであり、よってここでの説明は省略する。
【００５３】
図１３、図１４に示すように、トッププレート支持体１７は、保持片２７の中央部に設けた取付穴２８へ摺動自在に挿通して保持されている。保持片２７は、トッププレート支持体１７を縁部１６へ後から取付できるようにしたものである。
【００５４】
ここで、トップトッププレート支持体１７の上端部２１は、摺動部１９の断面積及び、保持片２７の取付穴２８よりも大きくしてあるので、保持片２７の取付穴２８からトップトッププレート支持体１７が落下することはない。
【００５５】
次に、縁部１６に、中央部に開口を備えている保持片収容部２６が設けられている。保持片収容部２６は、トッププレート支持体１７を保持した保持片２７を、縁部１６に取付けるためのもので、保持片２７を保持片収容部２６に固定することで取付られる。保持片収容部２６の中央部に備えられた開口は、トッププレート支持体１７の上端部２１より大きくなっていて、トッププレート支持体１７の摺動を妨げないようになっている。
【００５６】
保持片２７が単純に取付られただけの場合、保持片２７が縁部１６のカウンタートップ２０２の上面に対向する面から突出してしまい、カウンタートップ２０２への組み込みが不安定となる。そのため、保持片収容部２６が保持片２７を収容するようにしてあり、保持片２７を保持片収容部２６に固定する際、縁部１６のカウンタートップ２０２の上面に対向する面と、保持片２７のカウンタートップ２０２の上面に対向する面は突出せず、ほぼ同一高さとなるよう設定されている。ここで、保持片２７の保持片収容部２６への固定は、圧入でも接着でもよく、限定されるものではないので適宜選択してよい。
【００５７】
実施の形態１ではトッププレート支持体１７を縁部１６に直接取付穴１８を設けて取付ける構造としたが、上記のようにトッププレート支持体１７を、保持片２７に設けた取付穴２８へ摺動自在に挿通して縁部１６に後から取付けられるようにしたので、カウンタートップ２０２へ組み込み前に取付ることができ、トッププレート支持体１７の欠品が発生しない加熱調理器１０１を提供することができる。
【００５８】
また、実施の形態１同様、加熱調理器１０１の輸送時やカウンタートップ２０２へ組み込み前には、トッププレート支持体１７がトッププレート３を支持していないので、トッププレート３への外部応力がかからないため、輸送時やカウンタートップ２０２に組み込む時にトッププレート３を破損することがない安全な加熱調理器１０１を提供することができる。
【００５９】
さらに、加熱調理器１０１をカウンタートップ２０２に組み込むだけで、トッププレート支持体１７が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００６０】
それから、本体１に従来からある縁部１６に小規模な改造で、トッププレート支持体１７を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００６１】
実施の形態６．
図１５は本発明の実施の形態５における加熱調理器の組み込み前の抜け防止構造を備えたトッププレート支持体と保持片を示す断面図である。なお、実施の形態６においては、図１から図４で示した実施の形態１の構成を使用するものであり、よってここでの説明は省略する。
【００６２】
図１５に示すように、トッププレート支持体１７の下端部２０近傍に、抜け防止部２４が設けられている。抜け防止部２４は、保持片２７の中央部に設けた取付穴２８からのトッププレート支持体１７の抜けを防止するためのもので、保持片２７の中央部に設けた取付穴２８の外周よりも若干大きくなるよう、トッププレート支持体１７の下端部２０近傍から、摺動部１９の外周から張り出した形状となっている。ここで、この状態は組み込み前であるため、トッププレート支持体１７は、懸吊状態で保持されている。
【００６３】
抜け防止部２４は保持片２７の中央部に設けた取付穴２８の外周よりも若干大きいため、そのままでは挿通できないので、力をかけて圧入する。そうすることで、圧入した後は、保持片２７の中央部に設けた取付穴２８の外周よりも抜け防止部２４が大きいことから、簡単に抜けなくなる。
【００６４】
次に、保持片２７の中央部に設けた取付穴２８の外周には、抜け防止部収容部２９が設けられている。抜け防止部収容部２９は抜け防止部２４を収容するためのもので、抜け防止部２４が単純に構成されただけの場合、抜け防止部２４が保持片２７の中央部に設けた取付穴２８に収容されず、縁部１６のカウンタートップ２０２の上面に対向する面から突出してしまい、カウンタートップ２０２への組み込みが不安定となる。そのため、抜け防止部収容部２９が抜け防止部２４を収容するようにしてあり、抜け防止部２４が縁部１６のカウンタートップ２０２の上面に対向する面から突出しないようになっている。
【００６５】
次に、縁部１６に、中央部に開口を備えている保持片収容部２６が設けられている。保持片収容部２６は、トッププレート支持体１７を保持した保持片２７を、縁部１６に取付けるためのもので、保持片２７を保持片収容部２６に固定することで取付られる。保持片収容部２６の中央部に備えられた開口は、トッププレート支持体１７の上端部２１より大きくなっていて、トッププレート支持体１７の摺動を妨げないようになっている。
【００６６】
保持片２７が単純に取付られただけの場合、保持片２７が縁部１６のカウンタートップ２０２の上面に対向する面から突出してしまい、カウンタートップ２０２への組み込みが不安定となる。そのため、保持片収容部２６が保持片２７を収容するようにしてあり、保持片２７を保持片収容部２６に固定する際、縁部１６のカウンタートップ２０２の上面に対向する面と、保持片２７のカウンタートップ２０２の上面に対向する面は突出せず、ほぼ同一高さとなるよう設定されている。ここで、保持片２７の保持片収容部２６への固定は、圧入でも接着でもよく、限定されるものではないので適宜選択してよい。
【００６７】
実施の形態５では、トッププレート支持体１７を保持片２７の開口に抵抗なく挿通する構造としたが、上記のようにトッププレート支持体１７の下端部１９近傍に、保持片２７からの抜け防止部２４を設けて、トッププレート支持体１７を保持片２７の中央部に設けた取付穴２８へ圧入するようにしたので、通常カウンタートップ２０２に当接することを想定しているトッププレート支持体１７の下端部２０に想定外の外部応力がかかる事態となっても、トッププレート支持体１７が保持片２７の中央部に設けた取付穴２８から抜けることがなく、取付をより確実にすることができる。
【００６８】
また、実施の形態５同様、加熱調理器１０１の輸送時やカウンタートップ２０２へ組み込み前には、トッププレート支持体１７がトッププレート３を支持していないので、トッププレート３への外部応力がかからないため、輸送時やカウンタートップ２０２に組み込む時にトッププレート３を破損することがない安全な加熱調理器１０１を提供することができる。
【００６９】
さらに、加熱調理器１０１をカウンタートップ２０２に組み込むだけで、トッププレート支持体１７が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００７０】
それから、本体１に従来からある縁部１６に小規模な改造で、トッププレート支持体１７を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００７１】
実施の形態７．
図１６は本発明の実施の形態７における加熱調理器のトッププレート支持体の状態を示す部分斜視図、図１７は本発明の実施の形態７における加熱調理器の組み込み前のトッププレート支持体の状態を示す断面図、図１８は本発明の実施の形態７における加熱調理器の組み込み途中のトッププレート支持体の状態を示す断面図、図１９は本発明の実施の形態７における加熱調理器の組み込み完了時点のトッププレート支持体の状態を示す断面図である。なお、実施の形態６においては、図１から図４で示した実施の形態１の構成を使用するものであり、よってここでの説明は省略する。
【００７２】
図１６に基いて、縁部１６の周辺部を詳しく説明すると、図１６に示すように、縁部１６に取付穴１８が設けられ、取付穴１８の外周に軸止部３１が設けられていて、この軸止部に軸３２でトッププレート支持体３０が軸止されるようになっている。トップトッププレート支持体３０は、トップトッププレート支持体３０の重量がバランスしない位置に設けられた回動部３３、下端部３４、上端部３５からなり、トップトッププレート支持体３０の回動部３３に軸３２を挿通し、軸止部３１に軸３２の端部を圧入、カシメ等の方法により軸止し保持する構成となっている。
【００７３】
以上のように構成された本発明の実施の形態７における加熱調理器について、図１７から図１９により動作を説明する。
【００７４】
図１７に示すように、トッププレート３は、トッププレート３の容器載置面と枠体４の内周裏面で、例えばシリコンＲＴＶのような接着剤２２によって、枠体４に吊下げられた状態で接着保持されている。トッププレート支持体３０は、トッププレート支持体３０の重量がバランスしない位置に回動部３３が設けられているため、重量バランスの重い方へ必ず傾くので、トッププレート３の裏面とは当接していない。
【００７５】
図３で示したように組み込み作業を開始すると、図１８に示すように、カウンタートップ２０２の上面と、トッププレート支持体３０の下端部３４の一部が当接し押上げられ、取付穴１８の外周に設けられた軸止部３１に固定された軸３２を中心にトッププレート支持体３０が回動し、トッププレート３の裏面にトッププレート支持体３０の上端部３５が接近していく。トッププレート支持体３０の上端部３５は回動して接近するので、回動方向に円弧状になっていることが望ましい。
【００７６】
組み込み作業が完了すると、図１９に示すように、カウンタートップ２０２の上面と縁部１６のカウンタートップ２０２の上面に対向する面が当接し、加熱調理器１０１が保持される。また、カウンタートップ２０２の上面に押上げられたトッププレート支持体３０の上端部３５が、トッププレート３の裏面で枠体４と接着保持されている近傍に当接する。これにより、トッププレート支持体３０によるトッププレート３の支持状態が完成する。この時、縁部１６のカウンタートップ２０２の上面に対向する面とトッププレート支持体３０の下端部３４はほぼ同一高さとなるよう設定されている。
【００７７】
以上の動作により、加熱調理器１０１の輸送時やカウンタートップ２０２へ組み込み前には、トッププレート支持体３０がトッププレート３を支持していないので、トッププレート３への外部応力がかからないため、輸送時やカウンタートップ２０２に組み込む時にトッププレート３を破損することがない安全な加熱調理器１０１を提供することができる。
【００７８】
また、加熱調理器１０１をカウンタートップ２０２に組み込むだけで、トッププレート支持体３０が、カウンタートップ２０２の上面とトッププレート３の裏面間で挟持されトッププレート３を支持することができるので、接着剤の剥離が発生せず、基板や電気部品への水分等の浸入を防止することができ、加熱調理器１０１を使用する使用者の安全を確保することができる。
【００７９】
さらに、本体１に従来からある縁部１６に小規模な改造で、トッププレート支持体３０を取付でき、カウンタートップ２０２へ組み込む時には、特別な工具等を必要としないため、従来の組み込み作業と同じ作業で組み込みができるので、コストアップを抑えることができ、カウンタートップには何ら手を加える必要がないので、従来の加熱調理器からの入れ換えが容易にできる。
【００８０】
以上により、本発明の加熱調理器は、キッチンキャビネットのカウンタートップに組み込んで使用する加熱調理器に広く利用することができる。
【符号の説明】
【００８１】
Ａ  支点
Ｂ  回転方向
１  本体
２  容器
３  トッププレート
４  枠体
５  天板部
６  天面操作部
７  前面操作部
８  グリル庫
９  加熱手段ａ
１０  加熱手段ｂ
１１  加熱手段ｃ
１２  制御手段
１３  報知手段ａ
１４  報知手段ｂ
１５  報知手段ｃ
１６ａ、１６ｂ  縁部
１７  トッププレート支持体
１８  取付穴
１９  摺動部
２０  下端部
２１  上端部
２２  接着剤
２３  ガイド部
２４  抜け防止部
２５  抜け防止部収容部
２６  保持片収容部
２７  保持片
２８  取付穴
２９  抜け防止部収容部
３０  トッププレート支持体
３１  軸止部
３２  軸
３３  回動部
３４  下端部
３５  上端部
３６  トッププレート支持体
３７  切欠き
３８  下端部
３９  上端部
１０１  加熱調理器
２０１  キッチンキャビネット
２０２  カウンタートップ
２０３  開口
【図１】
2010216704.tif 000003
【図２】
2010216704.tif 000004
【図３】
2010216704.tif 000005
【図４】
2010216704.tif 000006
【図５】
2010216704.tif 000007
【図６】
2010216704.tif 000008
【図７】
2010216704.tif 000009
【図８】
2010216704.tif 000010
【図９】
2010216704.tif 000011
【図１０】
2010216704.tif 000012
【図１１】
2010216704.tif 000013
【図１２】
2010216704.tif 000014
【図１３】
2010216704.tif 000015
【図１４】
2010216704.tif 000016
【図１５】
2010216704.tif 000017
【図１６】
2010216704.tif 000018
【図１７】
2010216704.tif 000019
【図１８】
2010216704.tif 000020
【図１９】
2010216704.tif 000021